(57)【特許請求の範囲】
【請求項１】
１個の暗証番号設定器に対し、複数の入力器がそれぞれ２本の信号線を介して電気的に並列接続され、
前記各入力器は、機種に応じた入力方式により暗証番号を入力する入力手段と、前記信号線間を無極性にし、電源が供給されたときに、前記入力手段の入力方式に応じた情報をパルス時変調して前記信号線を介して前記暗証番号設定器に送出する送受信制御手段とをそれぞれ備えており、
前記暗証番号設定器は、自身の回路に電源を供給すると共に、前記信号線を介して前記入力器のそれぞれに電源を供給する電源供給手段と、前記入力器の各機種に応じたパルス間隔情報が設定記憶された記憶手段と、前記電源供給手段による電源供給に伴って前記入力器から一斉に送出される情報を前記記憶手段のパルス間隔情報と比較して前記入力器の機種を判別し、該入力器の全てが入力方式が同じ同一機種と判別されたときに認識した機種の入力器に対応した暗証番号設定動作による処理を可能にする制御手段とを備えたことを特徴とする入力器自動設定装置。
【請求項２】
１個の暗証番号設定器に対し、複数の入力器をそれぞれ２本の信号線を介して電気的に並列接続し、前記信号線間を無極性にした状態で該信号線を介して前記入力器のそれぞれに電源を供給した後、入力方式に応じた情報をパルス時変調して前記信号線を介して前記暗証番号設定器に送出し、前記電源供給に伴って前記入力器から一斉に送出される情報を、前記入力器の各機種に応じて予め設定記憶されたパルス間隔情報と比較して前記入力器の機種を判別し、該入力器の全てが入力方式が同じ同一機種と判別されたときに認識した機種の入力器に対応した暗証番号設定動作による処理を可能にすることを特徴とする入力器自動設定方法。
【発明の詳細な説明】
【０００１】
【発明の属する技術分野】
この発明は、暗証番号を入力する入力器が、その入力方式に応じて複数の機種で構成される場合に、開閉ドアに設けられた電気錠の施解錠を制御する１個の暗証番号設定制御器に対して同一機種の入力器を複数個接続したものに適用される入力器自動設定装置及びその方法に関する。
【０００２】
【従来の技術】
電気錠は、周知のように、開閉ドアの室外側に設置された入力器により暗証番号を入力し、この入力された暗証番号が予め暗証番号設定制御器に設定されている暗証番号と一致したときに、暗証番号設定制御器より電気錠制御器に制御信号を出力して開閉ドアの解錠（又は施錠）が行われるように構成されている。
【０００３】
ところで、屋内に情報を管理すべき複数個の管理室（例えばコンピュータ室）があり、各室からそれぞれ暗証番号に基いて開閉ドアを解錠する場合には、１個の暗証番号設定制御器に信号線を介して複数個の入力器を接続する必要がある。この場合、入力器としては、暗証番号の入力方式に応じて複数種類の機種がある。例えばテンキーを用いた４桁入力方式、５個のキースイッチを用いた５桁入力方式、磁気カードを用いたカードリーダ読取方式、暗証番号等の情報をワイヤレスにより伝送してその内容をリーダで読み取る方式等がある。
【０００４】
そこで、従来は、上述した入力器の各機種毎にオプション基盤を用意しておき、各入力器本体に同一機種のオプション基盤を装着した後、１個の暗証番号設定制御器に各入力器を信号線を介して電気的に並列接続していた。
【０００５】
【発明が解決しようとする課題】
しかしながら、上記従来の構成では、入力器の機種を交換する場合、各入力器本体からオプション基盤を取り出して別の機種によるオプション基盤を装着しなければならず、その作業に手間を要するという問題があった。
【０００６】
又、入力器本体に異なる機種のオプション基盤が装着されている場合には、各入力器の機種を暗証番号設定制御器側で識別することができないため、装置を動作させる前にオプション基盤が全て同一機種であることを再度確認する必要があった。
【０００７】
この発明は上記の事情に鑑み、電源投入に伴って各入力器より送出される信号に基いて入力器の機種を認識し、全ての入力器が同一機種であることを認識したときに、これらの入力器による設定器での暗証動作処理が行えるように自動設定でき、設定に関する手間が省ける入力器自動設定装置及びその方法を提供することを目的としている。
【０００８】
【課題を解決するための手段】
上記目的を達成するため、本発明による請求項１の入力器自動設定装置は、１個の暗証番号設定器１に対し、複数の入力器２Ａ，２Ｂがそれぞれ２本の信号線Ｌ１，Ｌ２（Ｌ３，Ｌ４）を介して電気的に並列接続され、
前記各入力器２Ａ，２Ｂは、機種に応じた入力方式により暗証番号を入力する入力手段３０と、前記信号線Ｌ１，Ｌ２（Ｌ３，Ｌ４）間を無極性にし、電源が供給されたときに、前記入力手段３０の入力方式に応じた情報をパルス時変調（パルス幅変調、パルス位置変調）して前記信号線Ｌ１，Ｌ２（Ｌ３，Ｌ４）を介して前記暗証番号設定器に送出する送受信制御手段３８とをそれぞれ備えており、
前記暗証番号設定器１は、自身の回路に電源を供給すると共に、前記信号線Ｌ１，Ｌ２（Ｌ３，Ｌ４）を介して前記入力器２Ａ，２Ｂのそれぞれに電源を供給する電源供給手段１３と、前記入力器２Ａ，２Ｂの各機種に応じたパルス間隔情報が設定記憶された記憶手段６と、前記電源供給手段１３による電源供給に伴って前記入力器２Ａ，２Ｂから一斉に送出される情報を前記記憶手段６のパルス間隔情報と比較して前記入力器２Ａ，２Ｂの機種を判別し、該入力器２Ａ，２Ｂの全てが入力方式が同じ同一機種と判別されたときに認識した機種の入力器２Ａ，２Ｂに対応した暗証番号設定動作による処理を可能にする制御手段８とを備えたことを特徴としている。
【０００９】
ここで、電源供給手段１３は、交流電源から供給された低圧交流電源を受け、安定化された電圧を自身の各回路に供給する安定化電源１０と、安定化電源１０の電圧に基いて各入力器２Ａ，２Ｂにそれぞれ電源を供給する電源重畳送受信部１２を備えている。そして、安定化電源１０は、暗証番号設定器１と各入力器２Ａ，２Ｂとの間の信号線Ｌ１，Ｌ２（Ｌ３，Ｌ４）がショート状態となり、一定電流値を越えたときに、回路が破壊しないように電圧を低下させる。
【００１０】
又、送受信制御手段３８には、暗証番号設定器１と各入力器２Ａ，２Ｂとを結線する信号Ｌ１，Ｌ２（Ｌ３，Ｌ４）間を無極性にするダイオードブリッジ４０が接続されており、信号線Ｌ１，Ｌ２（Ｌ３，Ｌ４）がどのような接続であっても、受信信号が変化せずに適切な電圧となる。
【００１１】
請求項２の入力器自動設定方法は、１個の暗証番号設定器１に対し、複数の入力器２Ａ，２Ｂをそれぞれ２本の信号線Ｌ１，Ｌ２（Ｌ３，Ｌ４）を介して電気的に並列接続し、前記信号線Ｌ１，Ｌ２（Ｌ３，Ｌ４）間を無極性にした状態で該信号線Ｌ１，Ｌ２（Ｌ３，Ｌ４）を介して前記入力器２Ａ，２Ｂのそれぞれに電源を供給した後、入力方式に応じた情報をパルス時変調（パルス幅変調、パルス位置変調）して前記信号線Ｌ１，Ｌ２（Ｌ３，Ｌ４）を介して前記暗証番号設定器１に送出し、前記電源供給に伴って前記入力器２Ａ，２Ｂから一斉に送出される情報を、前記入力器２Ａ，２Ｂの各機種に応じて予め設定記憶されたパルス間隔情報と比較して前記入力器２Ａ，２Ｂの機種を判別し、該入力器２Ａ，２Ｂの全てが入力方式が同じ同一機種と判別されたときに認識した機種の入力器２Ａ，２Ｂに対応した暗証番号設定動作による処理を可能にすることを特徴とする。
【００１２】
【発明の実施の形態】
図１は本発明による入力器自動設定装置の概略構成を示すブロック図、図２は図１の概略的な電気回路図である。
【００１３】
図１において、入力器自動設定装置は、１個の暗証番号設定制御器（以下、設定器と略称する）１と、２個の入力器２（２Ａ，２Ｂ）とを備えている。
【００１４】
設定器１は、モード設定手段４、記憶手段６、マイクロコンピュータ（制御手段）８、安定化電源１０、電源重畳送受信部１２、入出力回路１４を備えており、安定化電源１０と電源重畳送受信部１２により電源供給手段１３が構成される。
【００１５】
モード設定手段４は、例えば複数のスイッチのみによるもの、ＬＥＤ，ＬＣＤ等の表示器と複数のスイッチとの組み合わせによるもの等で構成される。このモード設定手段４では、開閉ドア１６の施解錠を許可するための照合用の暗証番号の設定を行う他、電気錠１８の作動モードの設定を行っている。作動モードとしては、例えば電気錠１８の電磁アクチュエータの作動毎に施錠と解錠が交互に行われる作動モード、開閉ドアを閉めると自動的に施錠され、電磁アクチュエータは解錠のみに用いられる作動モード、電磁アクチュエータが解錠のみに用いられる作動モードにおいて、電磁アクチュエータに通電される解錠時間が０．５秒間の作動モード、同解錠時間が５秒間の作動モード、同解錠時間が１０秒間の作動モード、設定された暗証番号の確認ができる作動モード、設定された暗証番号の確認ができない作動モード等がある。
【００１６】
記憶手段６は、入力器の機種を示す装置番号に対応したパルス間隔情報、モード設定手段４によって設定された暗証番号を記憶しており、例えばバックアップを必要とせず、停電時にもその記憶内容が失われることのないＥＥＰＲＯＭで構成されている。
【００１７】
マイクロコンピュータ８は、信号の処理、データの比較判定、開閉ドア１６の開閉状態や電気錠機構の施解錠状態の検知などの機能を有している。具体的には、電源投入に伴って入力器２から送信される装置番号を示す信号が記憶手段６に設定記憶されたデータ（パルス間隔情報）と一致したときに、その装置番号が示す機種の入力器２による暗証番号設定動作を可能にする。又、入力器２の設定後に入力器２から送信された暗証番号がモード設定手段４の設定により記憶手段６に記憶された暗証番号と一致したときに、入出力回路１４を介して電気錠制御器２０に開閉ドア１６を施錠又は解錠するための制御信号を出力する。
【００１８】
安定化電源１０は、交流電源から供給された低圧交流電圧を受け、自身の各回路並びに信号線Ｌ１〜Ｌ４を介して各入力器２にそれぞれ電源を供給する機能、設定器１と各入力器２との間の信号データの送受信を行う機能などを有している。この安定化電源１０では、各入力器２に電源を供給する場合、設定器１側のトランジスタＴｒ１と各入力器２側のトランジスタＴｒ２との間でショート状態になったときに回路が破壊しないように一定電流値を越えると電圧が低下するようになっている。
【００１９】
そして、マイクロコンピュータ８は、電圧のレベル変換器２２側のＰ１から受信信号を受け、トランジスタＴｒ１側のＰ２から送信信号を出力するが、設定器１と入力器２とを接続する線間Ｌ１，Ｌ２の電圧は、それに応じて電圧低下が重畳的なパルス信号となる。したがって、この重畳的なパルス信号が信号線Ｌ１〜Ｌ４を介して各入力器２にそれぞれ伝送されることになる。
【００２０】
電源重畳送受信部１２は、安定化電源１０からの安定化された電圧に基づき各入力器２にそれぞれ電源を供給している。
入出力回路１４は、マイクロコンピュータ８と電気錠制御器２０との間の信号の送受を行っている。
【００２１】
入力器２は、図示の例では屋外、屋内を問わず適当な箇所、例えば情報を管理すべき複数個のコンピュータ室のいずれか１つの出入り口に設置される第１入力器２Ａと、例えば室内に設置される第２入力器２Ｂとで構成される。
【００２２】
第１入力器２Ａは、パラレルに配線された２本の信号線Ｌ１，Ｌ２を介して設定器１に電気的に接続されている。第２入力器２Ｂは、信号線Ｌ１，Ｌ２にそれぞれパラレルに配線された２本の信号線Ｌ３，Ｌ４を介して第１入力器２Ａ並びに設定器１に電気的に接続されている。
【００２３】
各入力器２Ａ，２Ｂは、入力手段３０、記憶手段３２、入力器制御回路３４、送受信部３６を備えており、記憶手段３２、入力器制御回路３４、送受信部３６によって送受信制御手段３８が構成される。
【００２４】
入力手段３０は、開閉ドア１６を施解錠する際の情報源となる暗証番号を入力するもので、暗証番号の入力方式に応じて複数の機種に分けられる。例えばテンキーを用いて４桁の暗証番号を入力する方式、５個のキースイッチを用いて５桁の暗証番号を入力する方式、暗証番号等の情報が記録された磁気カードを用いてその記録内容をカードリーダで読み取る方式、暗証番号等の情報をワイヤレスにより伝送してその内容をリーダで読み取る方式等で構成されている。
【００２５】
記憶手段３２は、その入力器２の機種（入力方式）を示す装置番号のデータを記憶しており、例えばバックアップを必要とせず、停電時にもその記憶内容が失われることのないＥＥＰＲＯＭで構成されている。
【００２６】
さらに説明すると、図３（ａ），（ｂ）に示すように、各機種毎の装置番号データは、４ビットの信号の割り振りによって記憶されている。そして、パルス間隔がａのときを「０」、ｂのときを「１」として信号を２値で表現した場合、「テンキーを用いた４桁入力方式の入力器」は、図３（ａ）に示すように、「００００」の装置番号１のデータとして与えられる。又、「磁気カードを用いたカードリーダ読取方式の入力器」は、図３（ｂ）に示すように、「０００１」の装置番号２のデータとして与えられる。尚、装置番号を示すデータのビット数は、接続される入力器２の入力方式の種類（機種の数）に応じて決定される。
【００２７】
入力器制御回路３４は、設定器１と同様に信号処理、データの比較判定などの機能を有するマイクロコンピュータを使用している。この入力器制御回路３４では、設定器１側より電源が供給されたときに、記憶手段３２に設定記憶された装置番号のデータに基いてその入力器２の機種（装置番号）を示すパルス間隔のパルス信号を生成して送受信部３６に出力している。
【００２８】
送受信部３６は、２本の信号線Ｌ１，Ｌ２（Ｌ３，Ｌ４）と入力器制御回路３４との間に設けられたダイオードブリッジ４０、レベル変換器４２、トランジスタＴｒ２を備えて構成される。ダイオードブリッジ４０は、信号線Ｌ１，Ｌ２を無極性にして信号線Ｌ１，Ｌ２がどのような接続であっても、ダイオードブリッジ４０と電圧のレベル変換器４２間Ｐ４の信号が変化しないようにしている。
【００２９】
これにより、Ｐ４における信号は、設定器１側のＰ３の信号と同様に重畳信号となり、入力器制御回路３４が設定器１から信号を受信するときは、レベル変換器４２と入力器制御回路３４間Ｐ５の受信信号が電圧のレベル変換器４２を介して適切な電圧となる。
【００３０】
又、送受信部３６では、入力器制御回路３４からの送信信号をトランジスタＴｒ２側のＰ６に与え、同様の原理で設定器１側のマイクロコンピュータ８並びに他の入力器２の入力器制御回路３４にそれぞれ送信している。
【００３１】
さらに、この送受信部３６では、設定器１から信号線Ｌ１，Ｌ２（Ｌ３，Ｌ４）を介して電源が供給されたときに、入力器制御回路３４により生成されるパルス信号をパルス時変調（例えば、パルス幅変調（ＰＷＭ）、パルス位置変調（ＰＰＭ））し、重畳信号として信号線Ｌ１，Ｌ２を介して設定器１に送信している。
【００３２】
上記構成による入力器自動設定装置では、まず、電源投入により設定器１に電源が供給されると、この電源は安定化電源１０を介して各回路に供給されると共に、信号線Ｌ１〜Ｌ４を介して各入力器２Ａ，２Ｂに供給される。各入力器２Ａ，２Ｂでは、信号線Ｌ１〜Ｌ４からの電源をダイオードブリッジ４０、定電圧電源回路４４を介して各回路に駆動電源として供給する。又、この電源投入時には、設定器１と各入力器２との間で信号のやり取りはなく、設定器１側の電源がそのまま各入力器２Ａ，２Ｂ側の電源回路を経て入力器制御回路３４をリセットさせる。入力器制御回路３４は、設定器１からの電源供給を受信してリセットされると、記憶手段３２に設定記憶された装置番号のデータを読み出し、その装置番号のデータに基いて入力器２の機種を示すパルス信号を生成する。そして、このパルス信号は送受信部３６においてパルスアナログ変調（ＰＰＭ）された後、重畳信号として信号線Ｌ１〜Ｌ４を介して設定器１に送信される。
【００３３】
設定器１では、マイクロコンピュータ８がレベル変換器２２を介して各入力器２から一斉に送信された重畳信号を受信すると、これら送信信号のパルス間隔を記憶手段６に設定記憶された入力器２の各機種毎のパルス間隔と照合して送信元の入力器２の機種を認識する。
【００３４】
そして、各入力器２Ａ，２Ｂからの送信信号が同一機種によるパルス間隔と一致し、マイクロコンピュータ８が全ての入力器２の機種が同一であることを認識すると、その装置番号に対応するプログラムにジャンプし、認識した機種の入力器２に対応した暗証番号設定動作による処理を可能にする。これにより、設定器１において処理可能な入力器２の設定が完了する。
【００３５】
尚、上記設定動作において、信号線Ｌ１〜Ｌ４を介して設定器１に接続される入力器２Ａ，２Ｂの機種が異なる場合、例えば第１入力器２Ａの入力手段３０がテンキーを用いた４桁入力方式であり、第２入力器２Ｂの入力手段３０が磁気カードを用いたカードリーダ読取方式である場合には、第１入力器２Ａからは図３（ａ）に示す装置番号１のデータによるパルス信号が送信され、第２入力器２Ｂからは図３（ｂ）に示す装置番号２のデータによるパルス信号が送信されることになる。そして、これらのパルス信号が設定器１に対して同時に送信されると、両者のパルス信号のパルス間隔が異なることから、設定器１側のマイクロコンピュータ８はこれらの送信信号を受け付けないように制御される。
【００３６】
次に、上記設定を終えた状態で、例えば第１入力器２Ａを操作すると、その入力器制御回路３４から設定器１並びに第２入力器２Ｂにスタート信号がそれぞれ各信号線Ｌ１〜Ｌ４を介して送信される。
【００３７】
ここで、第２入力器２Ｂは、第１入力器２Ａよりスタート信号を受信すると、第１入力器２Ａから一連の操作が終了した旨のエンド信号を受信するまでの間、又はスタート信号を受信した後に一定時間が経過するまでの間は、入力器制御回路３４がその使用を不可にする。
【００３８】
これに対し、設定器１は、第１入力器２Ａよりスタート信号を受信すると、既に設定登録されているモード信号を使用可能な第１入力器２Ａに送信する。第１入力器２Ａは、モード信号を受信すると、以後そのモード信号に従って表示方向、作動方法等が決定される。この状態で、第１入力器２Ａにおける入力手段３０、例えばテンキーを操作して暗証動作に移行すると、第１入力器２Ａは、入力手段３０より入力された暗証番号の入力データを信号線Ｌ１，Ｌ２を介して設定器１に送信する。
【００３９】
設定器１は、第１入力器２Ａからの入力データを受信すると、この入力データを記憶手段６に設定記憶されている暗証番号と比較し、「一致」又は「電気錠を解錠する」、「不一致」又は「電気錠を不解錠とする」の旨を示す信号を第１入力器２Ａに送信する。又同時に、「一致」した場合には、電気錠制御器２０に入出力回路１４を介して解錠信号を送信する。
【００４０】
そして、電気錠１８を解錠させる一連の動作が終了すると、第１入力器２Ａは、信号線Ｌ１〜Ｌ４を介して第２入力器２Ｂにエンド信号を送信する。第２入力器２Ｂは、第１入力器２Ａよりエンド信号を受信すると、休止状態から開放されて入力受付可能の状態となる。
【００４１】
したがって、上記構成による入力器自動設定装置では、電源を投入するだけで、信号線Ｌ１〜Ｌ４を介して設定器１に接続された入力器２の機種を認識することができる。そして、設定器１は、全ての入力器２が同一機種であることを認識すると、直ちにこれらの入力器２による暗証動作処理が行えるべく自動設定することができる。しかも、従来のように、各入力器本体を分解して同一機種のオプション基盤を装着するといった作業が一切不要なので、手間を要することなく設定器１に対する入力器２の自動設定が行え、構成部品も少なくコストを低減できる。
【００４２】
入力器２側における信号線Ｌ１，Ｌ２（Ｌ３，Ｌ４）と入力器制御回路３４とのダイオードブリッジ４０が接続された構成なので、信号線Ｌ１，Ｌ２（Ｌ３．Ｌ４）間の極性が無くなり、工事がやり易い。しかも、信号線Ｌ１，Ｌ２（Ｌ３．Ｌ４）がどのような接続であっても、ダイオードブリッジ４０と電圧のレベル変換器４２間の信号が変化しないので、設定器１と入力器２間並びに入力器２Ａ，２Ｂ間同士で安定した信号のやり取りが行える。
【００４３】
設定器１側には、電流が一定値を越えたときに電圧を低下させる安定化電源１０が設けられているので、信号線Ｌ１，Ｌ２（Ｌ３，Ｌ４）間がショート状態になっても装置を破壊することがない。
【００４４】
ところで、図示の例では、１個の設定器１に対して２個の入力器２Ａ，２Ｂが信号線Ｌ１〜Ｌ４を介して接続されているが、入力器２の台数は２個に限らず、例えば部屋が複数あって各部屋から開閉ドア１６の施解錠を行う場合には、その部屋数に応じて適宜接続することができる。
【００４５】
【発明の効果】
以上説明したように、本発明によれば、電源を投入するだけで、信号線を介して設定器に接続された入力器の機種を認識することができる。その際、設定器は、全ての入力器が同一機種であることを認識すれば、直ちにこれらの入力器による暗証動作処理が行えるべく自動設定することができる。しかも、従来のように、各入力器本体を分解して同一機種のオプション基盤を装着するといった作業が不要なので、手間を要することなく設定器に対する入力器の自動設定が行え、構成部品も少なくコストを低減できる。
又、信号線間の極性を無いので、工事もやり易く、設定器と入力器間並びに入力器間同士で安定した信号のやり取りが行える。
【図面の簡単な説明】
【図１】本発明による入力器自動設定装置の概略構成を示すブロック図
【図２】図１の概略的な電気回路図
【図３】（ａ），（ｂ）同装置において各入力器より送出される送信信号の一形態を示す図
【符号の説明】
１…設定器、２（２Ａ，２Ｂ）…入力器、６…記憶手段、８…マイクロコンピュータ（制御手段）、１０…安定化電源、１２…電源重畳送受信部、１３…電源供給手段、３０…入力手段、３２…記憶手段、３４…入力器制御回路、３６…送受信部、３８…送受信制御手段、４０…ダイオードブリッジ、Ｌ１〜Ｌ４…信号線。
【図１】
0003779757.tif 000002
【図２】
0003779757.tif 000003
【図３】
0003779757.tif 000004